(57)【特許請求の範囲】
【請求項１】
前面及び背面が開放された二つの檻と、
第一の檻の背面と、第二の檻の背面とを連結する連結枠と、
前記第一の檻及び前記第二の檻の前面で上下動可能に設けられた二つの落下扉と、
前記第一の檻及び前記第二の檻の前面の上方に前記落下扉がそれぞれ配置された状態で、前記第一の檻又は前記第二の檻の内部に設けられた検知部により動物の侵入が検知されると、前記二つの落下扉を落下させる落下制御部と、
前記連結枠の周方向に沿って設けられたスリットと、
前記第一の檻又は前記第二の檻の内部に動物が侵入した状態で、前記スリットに挿通され、前記連結枠の連結口を閉塞する閉塞板と、
を備え、
前記連結枠は、
断面が、前記檻の背面の周端部を装着可能なコの字状である周端溝を有する二つの溝形鋼と、
前記二つの溝形鋼の周端溝をそれぞれ外側に向けて特定の間隔を空けて配置した状態で、当該二つの溝形鋼の四角に熔接され、前記スリットを形成させる四つの板金と、
を備えることを特徴とする動物捕獲檻。
【請求項２】
前面が閉塞され、背面が開放された第一の檻と、
前面及び背面が開放された第二の檻と、
前記第一の檻の背面と、前記第二の檻の背面とを連結する連結枠と、
前記第二の檻の前面で上下動可能に設けられた落下扉と、
前記第二の檻の前面の上方に前記落下扉が配置された状態で、前記第一の檻又は前記第二の檻の内部に設けられた検知部により動物の侵入が検知されると、前記落下扉を落下させる落下制御部と、
前記連結枠の周方向に沿って設けられたスリットと、
前記第一の檻又は前記第二の檻の内部に動物が侵入した状態で、前記スリットに挿通され、前記連結枠の連結口を閉塞する閉塞板と、
を備え、
前記連結枠は、
断面が、前記檻の背面の周端部を装着可能なコの字状である周端溝を有する二つの溝形鋼と、
前記二つの溝形鋼の周端溝をそれぞれ外側に向けて特定の間隔を空けて配置した状態で、当該二つの溝形鋼の四角に熔接され、前記スリットを形成させる四つの板金と、
を備えることを特徴とする動物捕獲檻。
【発明の詳細な説明】
【技術分野】
【０００１】
本発明は、動物捕獲檻に関する。
【背景技術】
【０００２】
従来、動物捕獲檻に関する技術は多数存在する。例えば、特開２００１−１２８６１０号公報（特許文献１）、特開２００７−２８９３４号公報（特許文献２）、特開２０１３−２３６６１２号公報（特許文献３）には、檻本体と、当該檻本体の両側面に形成された開口部と、当該開口部に設けられ、上下動するスライド扉とで形成されている動物捕獲檻が開示されている。又、本発明者は、例えば、実用新案登録第３１４９５０８号公報（特許文献４）、実用新案登録第３１５１２６０号公報（特許文献５）、実用新案登録第３１６３３６５号公報（特許文献６）に示すように、既に、動物捕獲檻について、多種の実用新案登録出願を行い、実用新案権を取得している。
【先行技術文献】
【特許文献】
【０００３】
【特許文献１】特開２００１−１２８６１０号公報
【特許文献２】特開２００７−２８９３４号公報
【特許文献３】特開２０１３−２３６６１２号公報
【特許文献４】実用新案登録第３１４９５０８号公報
【特許文献５】実用新案登録第３１５１２６０号公報
【特許文献６】実用新案登録第３１６３３６５号公報
【発明の概要】
【発明が解決しようとする課題】
【０００４】
動物捕獲檻で捕獲された動物のうち、例えば、猪は、動物捕獲檻の中で暴れ回ったり、檻の側面を内側から突進、激突したりして、檻から必死に逃げようとする。特に、動物捕獲檻のサイズが大きい場合、猪が助走して檻の側面に突進するため、檻が破壊されて、猪に逃げられるという課題がある。
【０００５】
又、動物捕獲檻で捕獲された動物は、例えば、麻酔薬等の注射・投与、炭酸ガス等による窒息死のいずれか、又は、これらの組み合わせにより処分されるが、この処分方法を採用する場合、猟師が、動物捕獲檻に近づく必要がある。猟師が動物捕獲檻に接近すれば、動物が檻内で暴れ回って、檻を破壊しようとするため、猟師が動物を処分し難いという課題がある。
【０００６】
これらの課題に対して、上述した特許文献１−６に記載の技術では、解決することが出来ない。
【０００７】
そこで、本発明は、前記課題を解決するためになされたものであり、捕獲された動物が暴れるのを防止して、当該動物を容易に処分することが可能な動物捕獲檻を提供することを目的とする。
【課題を解決するための手段】
【０００８】
本発明者は、鋭意研究を重ねた結果、本発明に係る新規な動物捕獲檻を完成させた。即ち、本発明に係る動物捕獲檻は、二つの檻と、連結枠と、二つの落下扉と、落下制御部と、スリットと、閉塞板と、を備える。前記檻は、前面及び背面が開放されている。前記連結枠は、第一の檻の背面と、第二の檻の背面とを連結する。前記二つの落下扉は、前記第一の檻及び前記第二の檻の前面で上下動可能に設けられる。前記落下制御部は、前記第一の檻及び前記第二の檻の前面の上方に前記落下扉がそれぞれ配置された状態で、前記第一の檻又は前記第二の檻の内部に設けられた検知部により動物の侵入が検知されると、前記二つの落下扉を落下させる。前記スリットは、前記連結枠の周方向に沿って設けられる。前記閉塞板は、前記第一の檻又は前記第二の檻の内部に動物が侵入した状態で、前記スリットに挿通され、前記連結枠の連結口を閉塞する。又、前記連結枠は、二つの溝形鋼と、四つの板金と、を備える。前記溝形鋼は、断面が、前記檻の背面の周端部を装着可能なコの字状である周端溝を有する。前記四つの板金は、前記二つの溝形鋼の周端溝をそれぞれ外側に向けて特定の間隔を空けて配置した状態で、当該二つの溝形鋼の四角に熔接され、前記スリットを形成させる。
【０００９】
本発明に係る動物捕獲檻は、第一の檻と、第二の檻と、連結枠と、二つの落下扉と、落下制御部と、スリットと、閉塞板と、を備える。前記第一の檻は、前面が閉塞され、背面が開放されている。前記第二の檻は、前面及び背面が開放されている。前記連結枠は、前記第一の檻の背面と、前記第二の檻の背面とを連結する。前記落下扉は、前記第二の檻の前面で上下動可能に設けられる。前記落下制御部は、前記第二の檻の前面の上方に前記落下扉が配置された状態で、前記第一の檻又は前記第二の檻の内部に設けられた検知部により動物の侵入が検知されると、前記落下扉を落下させる。前記スリットは、前記連結枠の周方向に沿って設けられる。前記閉塞板は、前記第一の檻又は前記第二の檻の内部に動物が侵入した状態で、前記スリットに挿通され、前記連結枠の連結口を閉塞する。又、前記連結枠は、二つの溝形鋼と、四つの板金と、を備える。前記溝形鋼は、断面が、前記檻の背面の周端部を装着可能なコの字状である周端溝を有する。前記四つの板金は、前記二つの溝形鋼の周端溝をそれぞれ外側に向けて特定の間隔を空けて配置した状態で、当該二つの溝形鋼の四角に熔接され、前記スリットを形成させる。
【発明の効果】
【００１０】
本発明によれば、捕獲された動物が暴れるのを防止して、当該動物を容易に処分することが可能となる。
【図面の簡単な説明】
【００１１】
【図１】本発明の実施形態に係る動物捕獲檻の概念図である。
【図２】本発明の実施形態に係る動物捕獲檻の動物を捕獲した状態の概念図である。
【図３】本発明の実施形態に係る動物捕獲檻の動物が暴れる状態の概念図である。
【図４】本発明の実施形態に係る動物捕獲檻の閉塞板を上から挿通した状態の概念図である。
【図５】本発明の実施形態に係る動物捕獲檻の閉塞板を横から挿通した状態の概念図である。
【図６】本発明の実施形態に係る動物捕獲檻の一つだけ落下扉を設けた状態の概念図である。
【図７】本発明の実施形態に係る動物捕獲檻の連結枠の斜視図と一部拡大図である。
【図８】本発明の実施形態に係る動物捕獲檻の連結枠と檻の組立状態を示す図である。
【図９】本発明の実施形態に係る動物捕獲檻における檻の折り畳み状態を示す図である。
【図１０】本発明の実施形態に係る動物捕獲檻の閉塞板の挿通前後の斜視図である。
【発明を実施するための形態】
【００１２】
以下に、添付図面を参照して、本発明の実施形態について説明し、本発明の理解に供する。尚、以下の実施形態は、本発明を具体化した一例であって、本発明の技術的範囲を限定する性格のものではない。
【００１３】
本発明に係る動物捕獲檻１は、図１に示すように、二つの檻１０ａ、１０ｂと、連結枠１１と、二つの落下扉１２ａ、１２ｂと、落下制御部１３と、スリット１４と、閉塞板１５と、を備える。檻１０ａ、１０ｂは、前面及び背面が開放されている。連結枠１１は、第一の檻１０ａの背面と、第二の檻１０ｂの背面とを連結する。落下扉１２ａ、１２ｂは、前記第一の檻１０ａ及び前記第二の檻１０ｂの前面で上下動可能に設けられる。落下制御部１３は、前記前面の上方に前記落下扉１２ａ、１２ｂが配置された状態で、前記第一の檻１０ａ又は前記第二の檻１０ｂの内部に設けられた検知部１３ａにより動物の侵入が検知されると、前記落下扉１２ａ、１２ｂを落下させる。スリット１４は、前記連結枠１１の周方向に沿って設けられている。閉塞板１５は、前記第一の檻１０ａ又は前記第二の檻１０ｂの内部に動物が侵入した状態で、前記スリット１４に挿通され、前記連結枠１１の連結口を閉塞する。これにより、捕獲された動物が暴れるのを防止して、当該動物を容易に処分することが可能となる。
【００１４】
例えば、二つの落下扉１２ａ、１２ｂを、二つの檻１０ａ、１０ｂの前面の上方にそれぞれ固定して、当該前面を動物の入り口として開放した状態にし、動物の好む餌を内部に仕込んで、動物捕獲檻１を野山に放置する。
【００１５】
餌に引き寄せられた動物が、二つの檻１０ａ、１０ｂの前面のいずれかから、動物捕獲檻１の内部に侵入し、内部に設けられた検知部１３ａに接触する。すると、落下制御部１３は、図２に示すように、二つの落下扉１２ａ、１２ｂをそれぞれ落下させて、動物を内部に閉じ込めて、捕獲することが出来る。
【００１６】
捕獲された動物は、図３に示すように、動物捕獲檻１の内部で暴れ廻る。特に、捕獲された動物を処分するために、猟師が動物捕獲檻１へ近づくと、動物は警戒して激しく暴れる。
【００１７】
ここで、動物捕獲檻１では、二つの檻１０ａ、１０ｂを連結しているため、動物が助走可能な助走スペースが形成される。そのため、猪等の動物が助走スペースで助走して、落下扉１２ａ、１２ｂに激しく突進し、檻１を揺さ振ったり、檻１を壊したりする。すると、猟師が、捕獲された動物を処分し難くなる。
【００１８】
そこで、猟師は、動物が捕獲された場合、閉塞板１５を連結枠１１のスリット１４に挿通させることで、図４に示すように、当該連結枠１１の連結口を閉塞する。すると、動物捕獲檻１のサイズがおおむね二等分されて、動物の助走スペースが小さくなり、動物が暴れ難くなる。図４では、第二の檻１０ｂに動物が閉じ込められた状態になる。これにより、動物は、檻１を揺さ振ったり壊したりするだけの助走をすることが出来ないため、猟師は、簡単に動物を処分することが可能となる。
【００１９】
ここで、檻１０ａ、１０ｂの連結方法に特に限定は無い。例えば、檻１０ａ、１０ｂの前面には、図１に示すように、落下扉１２ａ、１２ｂを上下方向にスライド可能なスライド枠１６ａ、１６ｂを設け、スライド枠１６ａ、１６ｂの外側部には、くの字状の締め付け線材１７ａ、１７ｂを設ける。締め付け線材１７ａ、１７ｂの（くの字状の）両端部を、スライド枠１６ａ、１６ｂの外側端の上下部に、接続用の貫通孔や接続用のリブ等でそれぞれ接続する。そして、第一の檻１０ａのスライド枠１６ａに取り付けられた第一の締め付け線材１７ａの中心部と、第二の檻１０ｂのスライド枠１６ｂに取り付けられた第二の締め付け線材１７ｂの中心部とを、ターンバックル等の締結部材１８により、中央に引きつけることで、第一の檻１０ａと第二の檻１０ｂとを強固に連結させることが出来る。
【００２０】
又、檻１０ａ、１０ｂに対する落下扉１２ａ、１２ｂの取り付け方法に特に限定は無い。例えば、図１に示すように、スライド枠１６ａ、１６ｂに、落下扉１２ａ、１２ｂの両側端部を挿通可能なスライド溝を設け、スライド枠１６ａ、１６ｂの上方に、両側端部に、前記スライド枠１６ａ、１６ｂのスライド溝と連続するスライド溝を有するコの字状の補助枠１９ａ、１９ｂを設ける。補助枠１９ａ、１９ｂをスライド枠１６ａ、１６ｂの上部に設置して、補助枠１９ａ、１９ｂのスライド溝をスライド枠１６ａ、１６ｂのスライド溝に連結し、連結されたスライド溝に落下扉１２ａ、１２ｂの両側端部を挿通すれば、落下扉１２ａ、１２ｂを、スライド枠１６ａ、１６ｂと補助枠１９ａ、１９ｂとのスライド溝を介して上下方向にスライド可能となる。
【００２１】
又、落下制御部１３の構成に特に限定は無いが、例えば、図１に示すように、一方の端部が補助枠１９ａ、１９ｂの上部の中央に軸支され、他方の端部が下方で自由端とされ、補助枠１９ａ、１９ｂの内側で搖動可能な搖動体２０ａ、２０ｂを設け、搖動体２０ａ、２０ｂの上下中央から落下扉１２ａ、１２ｂに向かって突出された係止部２１ａ、２１ｂを設ける。搖動体２０ａ、２０ｂを垂直方向に沿って下方に垂らし、係止部２１ａ、２１ｂを、落下扉１２ａ、１２ｂの網目に引っ掛けることで、落下扉１２ａ、１２ｂを檻１０ａ、１０ｂの前面の上方に配置することが出来る。
【００２２】
又、落下制御部１３は、動物捕獲檻１の一方の側面中央の内側に設けられた第一のプーリー２２ａと、動物捕獲檻１の中央に設けられた第二のプーリー２２ｂと、を備え、検知部１３ａは、紐で構成され、一方の端部が、動物捕獲檻１の他方の側面中央の内側に結ばれ、第一のプーリー２２ａを経由することで、動物捕獲檻１の中央の内側に一本の紐を通らせるように構成する。検知部１３ａの紐の本体は、第一のプーリー２２ａから第二のプーリー２２ｂまで通り、第二のプーリー２２ｂから二つの他方の端部に分岐し、二つの他方の端部が、搖動体２０ａ、２０ｂの他方の端部とそれぞれ接続される。これにより、動物が動物捕獲檻１内の一本の紐に引っ掛かると、検知部１３ａの紐の本体が、第一のプーリー２２ａ、第二のプーリー２２ｂを介して、二つの他方の端部を中央に向かって引っ張り、搖動体２０ａ、２０ｂの他方の端部が内側に搖動する。すると、図２に示すように、搖動体２０ａ、２０ｂの係止部２１ａ、２１ｂが、落下扉１２ａ、１２ｂの引っ掛かりを解除して、落下扉１２ａ、１２ｂが下方に落下する。このように、動物捕獲檻１の内部への動物の侵入に対応してタイミングよく落下扉１２ａ、１２ｂを落下させることが出来る。
【００２３】
ここで、連結枠１１のスリット１４の数に特に限定は無く、例えば、図１に示すように、連結枠１１の上部、両側部、下部にそれぞれ周方向に沿って４つ設けることが出来る。閉塞板１５は、図４に示すように、上部のスリット１４から下部のスリット１４に向けて挿通することで、連結枠１１の連結口を閉塞しても良いし、図５に示すように、一方の側部のスリット１４から他方の側部のスリット１４に向けて挿通することで、連結枠１１の連結口を閉塞しても良い。この場合、締め付け部材１８の配置は、適宜変更される。
【００２４】
又、図１に示す動物捕獲檻１では、二つの檻１０ａ、１０ｂの前面をいずれも開放し、二つの檻１０ａ、１０ｂの前面の上方にそれぞれ二つの落下扉１２ａ、１２ｂを設けたが、図６に示すように、第一の檻１０ａの前面を閉塞し、第二の檻１０ｂの前面のみを開放し、第二の檻１０ｂの上方にのみ落下扉１２ｂを設けても良い。この場合、落下制御部１３の第一のプーリー２２ａ、第二のプーリー２２ｂの配置、検知部１３ａの紐の構成や配置は、適宜変更される。
【００２５】
ここで、連結枠１１の構成に特に限定は無いが、例えば、図７に示すように、断面が、前記檻１０ａ、１０ｂの背面の周端部を装着可能なコの字状の周端溝を有する二つの溝形鋼（チャンネル）２３ａ、２３ｂと、前記二つの溝形鋼２３ａ、２３ｂの周端溝をそれぞれ外側に向けて特定の間隔を空けて配置した状態で、当該二つの溝形鋼２３ａ、２３ｂの四角同士を接続し、前記スリット１４を形成させる四つの板金２４ａ、２４ｂと、を備える。これにより、上部、両側部、下部にそれぞれ４つのスリット１４を設けた連結枠１１を容易に製造することが出来る。又、連結枠１１の溝形鋼２３ａ、２３ｂの周端溝に、檻１０ａ、１０ｂの背面の周端部を挿通させれば、動物捕獲檻１を容易に組み立てることが出来る。
【００２６】
二つの溝形鋼２３ａ、２３ｂの周端溝をそれぞれ外側に向け、二つの溝形鋼２３ａ、２３ｂの背面同士（断面のコの字状の底面同士）を前記間隔を空けて対向させて配置させた状態にし、板金２４ａを、二つの溝形鋼２３ａ、２３ｂの角の外側面に配置して、板金２４ａの四角をスポット熔接する。二つの溝形鋼２３ａ、２３ｂの四角の全てに板金２４ａを熔接すると、前記間隔のスリット１４が形成される。
【００２７】
又、溝形鋼２３ａ、２３ｂの周端溝に特に限定は無いが、例えば、図７に示すように、両側部の下方近傍から下部の全部までのコの字状の内面を削除することで、切り欠け部２５ａ、２５ｂを形成している。この切り欠け部２５ａ、２５ｂにより、周端溝のうち、両側部の下方近傍から下部の全部までの断面は、Ｌ字状の山形鋼となる。これにより、溝形鋼２３ａ、２３ｂの周端溝に檻１０ａ、１０ｂの背面の周端部を装着し易くなる。つまり、図８に示すように、連結枠１１の溝形鋼２３ｂの下部を地面に付けて傾けると、溝形鋼２３ｂの周端溝の下部が、切り欠け部２５ｂにより開放された状態となる。そこに、檻１０ｂの背面の下端部を沿わせて置いて、連結枠１１を檻１０ｂへ向かって立てれば、溝形鋼２３ｂの周端溝が、檻１０ｂの一方の側面の周端部に丁度入って、両者を容易に装着させることが出来る。
【００２８】
又、檻１０ａ、１０ｂの構成に特に限定は無く、例えば、二つの側面金網２６ａ、２６ｂと、動物の侵入方向に沿って２分割され、分割部分を螺旋線材で連結された上面金網２７及び下面金網２８を備え、上面金網２７、第一の側面金網２６ａ、下面金網２８、第二の側面金網２６ｂを螺旋線材で順次連結することで、前面及び背面が開放された角筒状を構成している。これにより、檻１０ａ、１０ｂの折り畳みを可能として、動物捕獲檻１の搬送を容易にし、保管に要するスペースを削減することが出来る。例えば、図９に示すように、檻１０ａの上面金網２７の分割部分を下方に下げれば、檻１０ａ全体が三角形状となり、下面金網２８の分割部分を上方に上げれば、第一の側面金網２６ａ、上面金網２７、下面金網２８、第二の側面金網２６ｂを重ねた形態となり、檻１０ａ全体を完全に折り畳むことが出来る。
【００２９】
檻１０ａ、１０ｂの二つの側面金網２６ａ、２６ｂ、上面金網２７、下面金網２８の形状（例えば、正方形）を、例えば、連結枠１１、落下扉１２ａ、１２ｂ、スライド枠１６ａ、１６ｂの形状（正方形）に合わせれば、図９に示すように、動物捕獲檻１をコンパクトにすることが出来る。コンパクト化が図れれば、動物捕獲檻１を搬送し易くなる。特に、動物捕獲檻１は、通常、山奥に設置されるため、猟師等が動物捕獲檻１を山奥に持ち運びし易くなる。
【００３０】
閉塞板１５の構成に特に限定は無く、例えば、図１０に示すように、幅方向のサイズが連結枠１１のスリット１４のサイズに対応し、長手方向のサイズが連結枠１１の連結口のサイズよりも大きいサイズに構成される。これにより、閉塞板１５をスリット１４に挿通した状態では、閉塞板１５が連結枠１１をはみ出るため、檻１０ａ、１０ｂに入れられた動物がこの閉塞板１５に衝突しても、壊れ難くなる。
【００３１】
又、例えば、連結枠１１が、前記二つの溝形鋼２３ａ、２３ｂの周端溝をそれぞれ外側に向けて前記間隔を空けて配置した状態で、当該二つの溝形鋼２３ａ、２３ｂの四角同士を四つの板金２４ａ、２４ｂでそれぞれ左右方向の外側から接続する構成であると、閉塞板１５の幅方向のサイズを連結枠１１の幅方向（左右方向）のサイズとし、閉塞板１５の長手方向のサイズを連結枠１１の上下方向のサイズよりも大きいサイズとする。これにより、閉塞板１５を上方のスリット１４から挿通すると、閉塞板１５の幅方向の端部と上下方向の端部が連結枠１１の二つの溝形鋼２３ａ、２３ｂの間に位置することになり、檻１０ａ、１０ｂに入れられた動物がこの閉塞板１５に衝突しても、壊れ難くなる。尚、二つの溝形鋼２３ａ、２３ｂの四角同士を四つの板金２４ａ、２４ｂでそれぞれ上下方向の外側から接続する構成の場合は、閉塞板１５が左右方向の一方のスリット１４から挿通される。この場合でも同様である。
【産業上の利用可能性】
【００３２】
以上のように、本発明に係る動物捕獲檻は、猪等の動物を捕獲する檻として有用であり、捕獲された動物が暴れるのを防止して、当該動物を容易に処分することが可能な動物捕獲檻として有効である。
【符号の説明】
【００３３】
１  動物捕獲檻
１０ａ  第一の檻
１０ｂ  第二の檻
１１  連結枠
１２ａ  落下扉
１３  落下制御部
１４  スリット
１５  閉塞板
【要約】      （修正有）【課題】動物捕獲檻で捕獲された動物が暴れるのを防止して、動物を容易に処分することが可能な動物捕獲檻を提供する。【解決手段】前面及び背面が開放された第一の檻１０ａの背面と第二の檻１０ｂの背面とを連結する連結枠１１と、第一の檻１０ａ又は第二の檻１０ｂの前面で上下動可能に設けられた落下扉１２ａ、１２ｂと、第一の檻１０ａ又は第二の檻１０ｂの内部に動物の侵入が検知され落下扉１２ａ、１２ｂが落下状態で、連結枠１１の周方向に沿って設けられたスリット１４に挿通され連結枠の連結口を閉塞する閉塞板１５と、を備えた動物捕獲檻。【選択図】図１【図１】
0005818221.tif 000002
【図２】
0005818221.tif 000003
【図３】
0005818221.tif 000004
【図４】
0005818221.tif 000005
【図５】
0005818221.tif 000006
【図６】
0005818221.tif 000007
【図７】
0005818221.tif 000008
【図８】
0005818221.tif 000009
【図９】
0005818221.tif 000010
【図１０】
0005818221.tif 000011